(57)【要約】【課題】ネットワーク管理として、ＶＬＡＮの設定情報を効率よく収集し、管理効率及び利便性の向上を図る。【解決手段】運用管理部１１は、１台のノードのみに試験開始コマンドを送信し、試験結果データを受信して、ＶＬＡＮの構成状態を管理する。ルート側試験実行部２１ｂは、試験開始コマンドを受け付けた場合には、自己のＶＬＡＮ設定情報を試験結果記憶部２１ａへ格納して、自己のＩＤを含む試験パケットを生成して隣接ノードへ送信し、応答パケットを受信した場合には、応答パケットからＶＬＡＮ設定情報を取り出して試験結果記憶部２１ａへ格納して、ＶＬＡＮ設定情報を試験結果データとして、ネットワーク管理装置１０へ通知する。ブランチ側試験実行部２２ｂは、自己のＶＬＡＮ設定情報を応答パケットに格納してルートノード２１へ返送して、隣接ノードへ試験パケットを中継転送する。【選択図】　　　　図１
2004023120.tif 000002
【特許請求の範囲】
【請求項１】
ネットワークの通信管理を行う通信管理システムにおいて、
ルート側とする１台のノードのみに試験開始コマンドを送信し、前記ノードからの試験結果データを受信して、ＶＬＡＮの構成状態を管理する運用管理部を有するネットワーク管理装置と、
自己のＶＬＡＮ設定情報が登録されたＶＬＡＮ設定テーブルと、試験結果としてのＶＬＡＮ設定情報を記憶する試験結果記憶部と、前記試験開始コマンドを受け付けた場合には、前記ＶＬＡＮ設定テーブルにもとづき、自己のＶＬＡＮ設定情報を前記試験結果記憶部へ格納し、自己のＩＤを含む試験パケットを生成して隣接ノードへ送信し、隣接ノードから応答パケットを受信した場合には、前記応答パケットからＶＬＡＮ設定情報を取り出して前記試験結果記憶部へ格納し、格納されているＶＬＡＮ設定情報を前記試験結果データとして、前記ネットワーク管理装置へ通知するルート側試験実行部と、から構成されるルートノードと、
前記ＶＬＡＮ設定テーブルと、前記試験パケットを受信した場合には、前記ＶＬＡＮ設定テーブルにもとづき、自己のＶＬＡＮ設定情報を応答パケットに格納して前記ルートノードへ返送し、隣接ノードへ前記試験パケットを中継転送するブランチ側試験実行部と、から構成されるブランチノードと、
を有することを特徴とする通信管理システム。
【請求項２】
前記運用管理部は、試験開始コマンドを送信する際に、オペレータからの入力設定、オペレータによる事前の登録設定、装置自動設定のいずれかにもとづいて、送信先のルートノードを決定することを特徴とする請求項１記載の通信管理システム。
【請求項３】
前記運用管理部は、試験開始コマンドに対して、試験対象とすべきＶＬＡＮ−ＩＤを含ませて、前記ルートノードへ送信し、前記ルートノードは、自己のＩＤ及びＶＬＡＮ−ＩＤを含む試験パケットを生成し、前記ルートノード及び前記ブランチノードは、前記ＶＬＡＮ−ＩＤに関連するＶＬＡＮ設定情報を取得することを特徴とする請求項１記載の通信管理システム。
【請求項４】
前記ルート側試験実行部は、試験開始コマンドを受け付けると即時に前記運用管理部へ応答を返すことで、前記運用管理部での応答待ち状態をなくし、試験終了後に、受け付けた試験開始コマンドに対応する試験結果であることが認識可能な応答を送信することを特徴とする請求項１記載の通信管理システム。
【請求項５】
前記ネットワーク管理装置として、試験開始コマンドを送信する装置と、試験結果データを受信する装置とが別の場合は、前記運用管理部は、試験開始コマンドに受信側装置の識別子を付与し、前記ルートノードは試験結果データを前記受信側装置へ送信することを特徴とする請求項１記載の通信管理システム。
【発明の詳細な説明】
【０００１】
【発明の属する技術分野】
本発明は通信管理システムに関し、特にＶＬＡＮ（Ｖｉｒｔｕａｌ　Ｌｏｃａｌ　Ａｒｅａ　Ｎｅｔｗｏｒｋ）に対するネットワークの通信管理を行う通信管理システムに関する。
【０００２】
【従来の技術】
近年、ＶＬＡＮと呼ばれるネットワーク技術が開発されている。ＶＬＡＮは、物理的なＬＡＮ構成とは独立に、ネットワークに接続した端末を仮想的（論理的）にグループ化したＬＡＮのことで、１つのＶＬＡＮが１つのブロードキャストドメインになる（ＶＬＡＮ技術はＩＥＥＥ　８０２．１Ｑに示されている）。
【０００３】
このＶＬＡＮをＬＡＮスイッチ（例えば、イーサネットスイッチ：イーサネットは登録商標）で構成されるネットワーク上で実現することで、端末移設等の際にかかる設定作業の削減化などが可能となる。
【０００４】
図１６はＶＬＡＮシステムの構成を示す図である。システムの接続関係としては、ＶＬＡＮ構成を管理するための管理装置１１０とＬＡＮスイッチ１２１〜１２３は、管理用通信ネットワーク１３０と接続する。また、ＬＡＮスイッチ１２１〜１２３は互いに接続しており、ＬＡＮスイッチ１２１は端末４１、４４と接続し、ＬＡＮスイッチ１２２は端末４２、４５と接続し、ＬＡＮスイッチ１２３は端末４３と接続する。さらに、端末４１〜４３はＶＬＡＮ＃１に属し、端末４４、４５はＶＬＡＮ＃２に属している。
【０００５】
ここで、管理装置１１０がＶＬＡＮ構成の情報を管理する場合、従来では、管理装置１１０が、すべてのＬＡＮスイッチにアクセスしに行き、ＬＡＮスイッチがどのＶＬＡＮに接続しているかの情報を、アクセスしたＬＡＮスイッチから受け取ることで情報の収集を行っていた。
【０００６】
例えば、管理装置１１０は、管理用通信ネットワーク１３０を介して、ＬＡＮスイッチ１２１にアクセスする。そして、ＬＡＮスイッチ１２１は、ＶＬＡＮ＃１の端末４１と、ＶＬＡＮ＃２の端末４４と接続しているので、自己がＶＬＡＮ＃１、＃２に接続している旨を管理装置１１０へ返信する。
【０００７】
このようなやりとりを管理装置１１０とＬＡＮスイッチ１２１〜１２３間で行うことで、管理装置１１０では、ＬＡＮスイッチ１２１〜１２３におけるＶＬＡＮの設定情報を収集・管理していた。
【０００８】
【発明が解決しようとする課題】
しかし、上記で説明したような従来の管理制御では、管理装置１１０は、１台のＬＡＮスイッチにアクセスして、そのＬＡＮスイッチからの応答を受け取るといった動作を、管理対象とするＬＡＮスイッチすべてに対して、逐次行わなければならないので、管理効率が非常に悪く、また通信コストが大きくなってしまうといった問題があった。
【０００９】
さらに、従来では、ＶＬＡＮ設定情報取得のための通信を行っている際に、ＬＡＮスイッチへの設定誤りや障害発生等の理由で、回線断とみなされる現象を認識した場合には、管理装置１１０は、ＬＡＮスイッチに対して、ＶＬＡＮ設定情報取得のための通信とは別に、回線状態（ＬＡＮスイッチの動作状態）を確認するための通信制御をあらためて行う必要があった。このため、管理効率が悪く、利便性が低いといった問題があった。
【００１０】
一方、ネットワークの管理制御の従来技術として、特開平８−１０２７５６号公報がある。これは、ネットワーク内のプロキシノードを自動的に検出する技術であるが、この場合もネットワーク内のすべてのノードに対して、管理マネージャがアクセスして、逐一情報を取得するといった構成をとっているため、管理効率の向上が望めなかった。
【００１１】
本発明はこのような点に鑑みてなされたものであり、ネットワーク管理として、ＶＬＡＮの設定情報を効率よく収集し、管理効率及び利便性の向上を図った通信管理システムを提供することを目的とする。
【００１２】
【課題を解決するための手段】
本発明では上記課題を解決するために、図１に示すような、ネットワークの通信管理を行う通信管理システム１において、ルート側とする１台のノードのみに試験開始コマンドを送信し、ノードからの試験結果データを受信して、ＶＬＡＮの構成状態を管理する運用管理部１１を有するネットワーク管理装置１０と、自己のＶＬＡＮ設定情報が登録されたＶＬＡＮ設定テーブルＴ１と、試験結果としてのＶＬＡＮ設定情報を記憶する試験結果記憶部２１ａと、試験開始コマンドを受け付けた場合には、ＶＬＡＮ設定テーブルＴ１にもとづき、自己のＶＬＡＮ設定情報を試験結果記憶部２１ａへ格納し、自己のＩＤを含む試験パケットを生成して隣接ノードへ送信し、隣接ノードから応答パケットを受信した場合には、応答パケットからＶＬＡＮ設定情報を取り出して試験結果記憶部２１ａへ格納し、格納されているＶＬＡＮ設定情報を試験結果データとして、ネットワーク管理装置１０へ通知するルート側試験実行部２１ｂと、から構成されるルートノード２１と、ＶＬＡＮ設定テーブルＴ２と、試験パケットを受信した場合には、ＶＬＡＮ設定テーブルＴ２にもとづき、自己のＶＬＡＮ設定情報を応答パケットに格納してルートノード２１へ返送し、隣接ノードへ試験パケットを中継転送するブランチ側試験実行部２２ｂと、から構成されるブランチノード２２と、を有することを特徴とする通信管理システム１が提供される。
【００１３】
ここで、運用管理部１１は、ルート側とする１台のノードのみに試験開始コマンドを送信し、ノードからの試験結果データを受信して、ＶＬＡＮの構成状態を管理する。ＶＬＡＮ設定テーブルＴ１、Ｔ２は、自己のＶＬＡＮ設定情報が登録されたテーブルである。試験結果記憶部２１ａは、試験結果としてのＶＬＡＮ設定情報を記憶する。ルート側試験実行部２１ｂは、試験開始コマンドを受け付けた場合には、ＶＬＡＮ設定テーブルＴ１にもとづき、自己のＶＬＡＮ設定情報を試験結果記憶部２１ａへ格納して、自己のＩＤを含む試験パケットを生成して隣接ノードへ送信し、隣接ノードから応答パケットを受信した場合には、応答パケットからＶＬＡＮ設定情報を取り出して試験結果記憶部２１ａへ格納して、格納されているＶＬＡＮ設定情報を試験結果データとして、ネットワーク管理装置１０へ通知する。ブランチ側試験実行部２２ｂは、試験パケットを受信した場合には、ＶＬＡＮ設定テーブルＴ２にもとづき、自己のＶＬＡＮ設定情報を応答パケットに格納してルートノード２１へ返送して、隣接ノードへ試験パケットを中継転送する。
【００１４】
【発明の実施の形態】
以下、本発明の実施の形態を図面を参照して説明する。図１は本発明の通信管理システムの原理図である。通信管理システム１は、ネットワーク管理装置１０と、ＬＡＮスイッチである、ルートノード２１及びブランチノード２２−１、２２−２（総称する場合は、ブランチノード２２）を有する。
【００１５】
なお、ルートノード２１、ブランチノード２２−１、２２−２の本発明の機能は、実際には１台の同一の通信装置（ノード）内に含まれ、後述するノード選択によって、任意の１つのノードがルートノードになったり、ブランチノードになったりするものである。
【００１６】
図に示すシステムの接続関係としては、ネットワーク管理装置１０とルートノード２１、ブランチノード２２−１、２２−２は、管理用通信ネットワーク３と接続し、ルートノード２１はブランチノード２２−１、２２−２と接続する。また、ルートノード２１は端末４２、４３と接続し、ブランチノード２２−１は端末４１と接続し、ブランチノード２２−２は端末４４と接続する。さらに、端末４１、４２はＶＬＡＮ＃１に属し、端末４３、４４はＶＬＡＮ＃２に属している。
【００１７】
ネットワーク管理装置１０に対し、運用管理部１１は、すべてのノードの中で、ルート側とする１台のノード（ルートノード２１）を選択し、ルートノード２１だけに試験開始コマンドを送信する。その後、ルートノード２１から送信された試験結果データを受信して、システム内のＶＬＡＮの構成状態を収集・管理する。ユーザインタフェース部１２は、オペレータに対するユーザインタフェース処理（コマンド入力、表示制御など）を行う。
【００１８】
ルートノード２１に対し、ＶＬＡＮ設定テーブルＴ１は、自己（ルートノード２１）のＶＬＡＮ設定情報が登録されたテーブルである。試験結果記憶部２１ａは、試験結果としてのＶＬＡＮ設定情報を記憶する。
【００１９】
ルート側試験実行部２１ｂは、試験開始コマンドを受け付けた場合には、ＶＬＡＮ設定テーブルＴ１にもとづき、自己のＶＬＡＮ設定情報を試験結果記憶部２１ａへ格納する。また、自己のＩＤを含む試験パケットを生成して隣接ノード（ここではブランチノード２２−１、２２−２）へ送信する。
【００２０】
さらに、ルート側試験実行部２１ｂは、ブランチノード２２−１、２２−２から応答パケットを受信した場合には、それらの応答パケットからＶＬＡＮ設定情報を取り出して試験結果記憶部２１ａへ格納する。そして、格納されたルートノード２１及びブランチノード２２−１、２２−２に対するＶＬＡＮ設定情報を、試験結果データとして、ネットワーク管理装置１０へ通知する。
【００２１】
ここでは、ルートノード２１はＶＬＡＮ＃１、＃２に接続し、ブランチノード２２−１はＶＬＡＮ＃１に接続し、ブランチノード＃２２−２がＶＬＡＮ＃２に接続しているということが試験結果データの内容になる。
【００２２】
ブランチノード２２に対し、ブランチ側試験実行部２２ｂは、試験パケットを受信した場合には、自己（ブランチノード２２）のＶＬＡＮ設定情報が登録されたＶＬＡＮ設定テーブルＴ２にもとづき、ＶＬＡＮ設定情報を応答パケットに格納してルートノード２１へ返送する。また、接続する隣接ノードがあれば、その隣接ノードへ試験パケットを中継転送する。
【００２３】
なお、上記では、ルート側試験実行部２１ｂ及びブランチ側試験実行部２２ｂを別個に記したが、実際には１つのノード内に１つの試験実行部が存在し、ノードがルートノードのときは、試験実行部の機能がルート側試験実行部２１ｂになり、ノードがブランチノードのときは、試験実行部の機能がブランチ側試験実行部２２ｂになるものである。
【００２４】
次に本発明の通信管理システム１の具体的な動作について詳しく説明する。図２はネットワーク構成を示す図である。図のネットワークは、ブリッジネットワークによる（レイヤ２でフレームの中継を行うネットワーク）、ＩＥＥＥ８０２．１Ｄで定義されたスパニングツリープロトコル（ＳＴＰ）で構成された論理トポロジを表している。
【００２５】
なお、ＳＴＰとは、ネットワーク内のループを検出し、そのループ内の一点を論理的に切断して、ツリー構造を形成することにより、ループにより生じるフレーム輻輳（巡回）を回避するためのものである。また、以降の説明では、ネットワーク管理装置をＭＳ（Ｍａｎａｇｅｍｅｎｔ　Ｓｙｓｔｅｍ）、ルートノード及びブランチノードを単にスイッチ（ルート、ブランチを区別する場合はルートスイッチ、ブランチスイッチ）と呼ぶ。
【００２６】
図に示すシステムの接続関係としては、ＭＳ１０とスイッチ２１（ルートノード２１に該当）、スイッチ２２−１〜２２−３（ブランチノード２２に該当）は、管理用通信ネットワーク３と接続する。また、スイッチ２１とスイッチ２２−１、２２−２は互いに接続し、スイッチ２２−１とスイッチ２２−３が接続する（図中のスイッチ２１、２２−１〜２２−３の接続部分に示す数字は、ポートＩＤを示す）。
【００２７】
なお、スイッチ２１とスイッチ２２−１、２２−２は、ループを形成しているので、スイッチ２１のポートＩＤ＝４と、スイッチ２２−２のポートＩＤ＝２による接続は、ＳＴＰによって論理的には切断（ブロッキング状態）されている（図中、点線で示している）。
【００２８】
また、スイッチ２１は端末４１、４４と接続し、スイッチ２２−２は端末４２、４５と接続し、スイッチ２２−３は端末４３と接続する。そして、端末４１〜４３はＶＬＡＮ＃１０（ＶＬＡＮ−ＩＤ＝１０）に属し、端末４４、４５はＶＬＡＮ＃２０（ＶＬＡＮ−ＩＤ＝２０）に属している。
【００２９】
図３〜図６はＶＬＡＮ設定テーブルを示す図である。図３〜図６に示すテーブルは、スイッチ２１、スイッチ２２−１〜２２−３のそれぞれが有するＶＬＡＮ設定テーブルＴ１、Ｔ２−１〜Ｔ２−３である。
【００３０】
ＶＬＡＮ設定テーブルＴ１、Ｔ２−１〜Ｔ２−３は、ポートＩＤ、ＶＬＡＮ−ＩＤ、タイプの項目からなる。タイプとは、ポートがアクセスポートか、またはトランキングポートかの種別を表しており、“０”ならばアクセスポート、“１”ならばトランキングポートとする。
【００３１】
アクセスポートとは、入力してきたパケットに対して、ＶＬＡＮ−ＩＤを含むタグ（Ｔａｇ）を付与し、出力するパケットに対しては、タグの削除を行うポートのことをいう（ＶＬＡＮと接続するポートはアクセスポートとなる）。トランキングポートとは、タグの付与／削除は行わず、スイッチ間を接続するポートのことをいう。
【００３２】
ここで、テーブルの見方について、ＶＬＡＮ設定テーブルＴ１を用いて説明すると、アクセスポートであるポートＩＤ＝１（のポート）の接続先のＶＬＡＮは、ＶＬＡＮ−ＩＤ＝２０（のＶＬＡＮ＃２０）であり、ポートＩＤ＝２の接続先のＶＬＡＮは、ＶＬＡＮ−ＩＤ＝１０である。また、トランキングポートであるポートＩＤ＝３の接続先のＶＬＡＮは、途中のスイッチを介して、ＶＬＡＮ−ＩＤ＝１０とＶＬＡＮ−ＩＤ＝２０である。その他のテーブルも同様な見方をする。
【００３３】
なお、ＶＬＡＮ設定テーブルＴ１、Ｔ２−１〜Ｔ２−３に対し、タイプ＝０に対応する、ポートＩＤ及びＶＬＡＮ−ＩＤの各欄は、オペレータが事前に設定すべき項目であり、タイプ＝１に対応する、ポートＩＤ及びＶＬＡＮ−ＩＤの各欄は、各スイッチがＳＴＰ情報をもとに動的に設定するものである（ＩＥＥＥ８０２．１Ｑに示された標準的な動作である）。
【００３４】
例えば、ＶＬＡＮ設定テーブルＴ１について見ると、タイプ＝０であるポートＩＤ＝１、ＶＬＡＮ−ＩＤ＝２０の組と、ポートＩＤ＝２、ＶＬＡＮ−ＩＤ＝１０の組は、オペレータが事前に設定する。また、タイプ＝１であるポートＩＤ＝３、ＶＬＡＮ−ＩＤ＝１０の組と、ポートＩＤ＝３、ＶＬＡＮ−ＩＤ＝２０の組は、スイッチ２１が動的に設定する。
【００３５】
次に図２に示した論理トポロジ上での動作について詳しく説明する。なお、以降ではスイッチ２１、２２−１〜２２−３のそれぞれの符号を、各スイッチのスイッチＩＤとも呼ぶ。また、スイッチ２２−１〜２２−３に含まれるブランチ側試験実行部をそれぞれ、ブランチ側試験実行部２２ｂ−１〜２２ｂ−３と呼ぶ。
【００３６】
まず、ＭＳ１０における試験開始時の動作について説明する。オペレータは、ルートノードとなるスイッチを選択して（ここではスイッチ２１をルートノードとする。したがって、スイッチ２２−１〜２２−３はブランチノードとなる）、そのスイッチＩＤを記載した試験開始コマンド（例えば、ｒｕｎ　ｖｌａｎ　ｃｏｎｆｉｇｔｅｓｔ（２１））を、ＭＳ１０のユーザインタフェース部１２を通じて入力する。
【００３７】
ＭＳ１０の運用管理部１１は、スイッチ２１へ試験開始コマンド（例えば、ｒｕｎ　ｃｏｎｆｉｇｔｅｓｔ（　））を送信して、応答待ち状態となる。なお、スイッチ２１へのアクセスは、例えば管理用通信ネットワーク３がＩＰネットワークであった場合は、スイッチ２１のＩＰアドレスを取得することによって実現する。
【００３８】
図７はネットワークアドレス情報テーブルを示す図である。ネットワークアドレス情報テーブルＴ０は、運用管理部１１で管理され、スイッチＩＤ、ＩＰアドレスからなるテーブルである。運用管理部１１は、ネットワークアドレス情報テーブルＴ０を検索して、スイッチ２１のＩＰアドレス（１０．１０．１０．２５）を取得して、試験開始コマンドを送信する。
【００３９】
次にスイッチ２１における試験開始コマンドを受信した際の動作について説明する。スイッチ２１のルート側試験実行部２１ｂは、試験開始コマンドを受信すると、図３のＶＬＡＮ設定テーブルＴ１から、アクセスポートの情報（＝ＶＬＡＮ設定情報）を取得する。そして、試験結果記憶部２１ａ内に格納されている過去の情報を消去した後に、取得したＶＬＡＮ設定情報を試験結果記憶部２１ａに格納する。
【００４０】
ここでは、試験結果記憶部２１ａ内には、スイッチ２１のＶＬＡＮ設定情報として、＜Ｓｗｉｔｃｈ　ＩＤ、Ｐｏｒｔ　ＩＤ、ＶＬＡＮ−ＩＤ＞の順で、＜２１、１、２０＞と＜２１、２、１０＞とが格納される。
【００４１】
一方、ルート側試験実行部２１ｂは、スイッチＩＤ＝２１を含む試験パケットを生成し、トランキングポート＝３よりスイッチ２２−１へ送信すると共に、タイマをセットする。試験パケットの送信時にタイマをセットすることにより、最初に受信する応答パケットの待ち時間を設定している（この設定時間内に応答パケットが得られない場合は、その旨はＭＳ１０側へ通知される）。
【００４２】
次にスイッチ２２−１の動作を説明する。ブランチ側試験実行ブランチ２２ｂ−１は、スイッチ２１より試験パケットを受信すると、図４のＶＬＡＮ設定テーブルＴ２−１から、アクセスポートの情報を取得しようとするが、この例ではアクセスポートがないため、応答パケットは生成しない。
【００４３】
一方、ブランチ側試験実行部２２ｂ−１は、受信した試験パケットをコピーし、受信ポート（ＩＤ＝１）以外のトランキングポート（ＩＤ＝２、３）からスイッチ２２−２、２２−３へ中継転送する。
【００４４】
次にスイッチ２２−２の動作を説明する。ブランチ側試験実行部２２ｂ−２は、スイッチ２２−１より試験パケットを受信すると、図５のＶＬＡＮ設定テーブルＴ２−２から、アクセスポートの情報を取得する。
【００４５】
この例では、＜Ｓｗｉｔｃｈ　ＩＤ、Ｐｏｒｔ　ＩＤ、ＶＬＡＮ−ＩＤ＞の順で、＜２２−２、３、２０＞と＜２２−２、４、１０＞が得られる。ブランチ側試験実行部２２ｂ−２は、これらの情報を格納した応答パケットＲ２を生成し、試験パケットを生成したスイッチ２１に返送する。
【００４６】
図８は応答パケットＲ２の構成を示す図である。応答パケットＲ２は、送信元スイッチＩＤと、ポートＩＤ及びＶＬＡＮ−ＩＤの組み合わせとによるフィールドを持ち、この例では、送信元スイッチＩＤ＝２２−２、（ポートＩＤ＝３、ＶＬＡＮ−ＩＤ＝２０）、（ポートＩＤ＝４、ＶＬＡＮ−ＩＤ＝１０）となる。
【００４７】
なお、スイッチ２２−２では、試験パケットを受信したポート（ＩＤ＝１）以外のトランキングポートは存在しないため、スイッチ２２−２は試験パケットの中継転送は行わない。
【００４８】
次にスイッチ２２−３の動作を説明する。スイッチ２２−３のブランチ側試験実行部２２ｂ−３は、スイッチ２２−１より試験パケットを受信すると、図６のＶＬＡＮ設定テーブルＴ２−３から、アクセスポートの情報を取得する。
【００４９】
この例では、＜Ｓｗｉｔｃｈ　ＩＤ、Ｐｏｒｔ　ＩＤ、ＶＬＡＮ−ＩＤ＞の順で、＜２２−３、２、１０＞が得られる。ブランチ側試験実行部２２ｂ−３は、この情報を格納した応答パケットＲ３を生成し、試験パケットを生成したスイッチ２１に返送する。図９は応答パケットＲ３の構成を示す図である。フィールド構成は図８と同じで、送信元スイッチＩＤ＝２２−３、（ポートＩＤ＝２、ＶＬＡＮ−ＩＤ＝１０）となっている。
【００５０】
なお、スイッチ２２−３では、試験パケットを受信したポート（ＩＤ＝１）以外のトランキングポートは存在しないため、スイッチ２２−３は試験パケットの中継転送は行わない。
【００５１】
次にスイッチ２１における応答パケットを受信した際の動作を説明する。ルート側試験実行部２１ｂは、応答パケットＲ２、Ｒ３を受信すると、応答パケットＲ２、Ｒ３からＶＬＡＮ設定情報を取り出して、試験結果記憶部２１ａに追加格納する。
【００５２】
ここでは、応答パケットＲ２、Ｒ３から、スイッチ２２−２のＶＬＡＮ設定情報＜２２−２、３、２０＞、＜２２−２、４、１０＞と、スイッチ２２−３のＶＬＡＮ設定情報＜２２−３、２、１０＞を取り出して、試験結果記憶部２１ａに格納する。また、このとき、応答パケットの最初の受信時に、タイマを再設定する。このタイマ設定により、すべての応答パケットを受信するまでの待ち時間を設定している。
【００５３】
図１０は試験結果データの格納状態を示す図である。試験結果記憶部２１ａには、＜Ｓｗｉｔｃｈ　ＩＤ、Ｐｏｒｔ　ＩＤ、ＶＬＡＮ−ＩＤ＞の順で、自己（スイッチ２１）のＶＬＡＮ設定情報として＜２１、１、２０＞と＜２１、２、１０＞、スイッチ２２−２のＶＬＡＮ設定情報として＜２２−２、３、２０＞、＜２２−２、４、１０＞、スイッチ２２−３のＶＬＡＮ設定情報として＜２２−３、２、１０＞が格納される。
【００５４】
ルート側試験実行部２１ｂは、タイマより終了通知を受信すると、試験結果記憶部２１ａ内の図１０に示した格納情報を試験結果データとし、試験開始コマンドの応答としてＭＳ１０へ送信する。ＭＳ１０は、試験結果データを受信すると、ユーザインタフェース部１２を通じて、オペレータに対して画面表示する。
【００５５】
ここで、応答パケットの最初の受信時に、タイマを再設定することについて説明する。このタイマを再設定することにより、設定時間内に得られた応答パケットによるＶＬＡＮ設定情報が試験結果データとして通知されることになる。したがって、設定時間内に本来到着すべき応答パケットが到着しなかった場合は、回線障害（スイッチの動作異常も含む）の可能性がある。
【００５６】
この回線状態の正常性の認識は、ＭＳ１０があらかじめ保持していたＶＬＡＮ設定情報と、受信した試験結果データとの差分を比較することでなされる。このように、本発明ではＶＬＡＮ設定情報を収集する際に、試験パケットがネットワーク上を流れるので、回線状態の試験も同時に行うことができる。
【００５７】
以上説明したように、本発明の通信管理システム１では、ＭＳ１０が１台のルート側のスイッチ２１に試験開始コマンドを送信すると、スイッチ２１は試験パケットを生成する。この試験パケットは、複数のブランチスイッチ間で中継転送され、応答情報として、それぞれのブランチスイッチにおけるＶＬＡＮ設定情報がスイッチ２１に収集される。そして、スイッチ２１のＶＬＡＮ設定情報と共に、試験結果データとしてＭＳ１０へ送信される。
【００５８】
このように、本発明では１台のスイッチにＭＳ１０からアクセスするだけで、スイッチ間で情報を収集して、試験結果を通知してくれるので、従来のように、複数のスイッチにアクセスして、各スイッチから応答を受け取るといった動作を逐次行う必要がなくなる。これにより、管理効率及び利便性の向上を図ることが可能になる。
【００５９】
次にルートスイッチの決定処理について説明する。図２〜図１０の上記の説明では、ルートになるスイッチを決定する際に、オペレータが、試験開始コマンドにスイッチＩＤを記載することで、ルートスイッチを決定していたが（オペレータからの入力設定）、その他の処理として、オペレータによる事前登録設定、装置自動設定がある。
【００６０】
オペレータによる事前登録設定とは、オペレータがあらかじめＭＳ１０のユーザインタフェース部１２を通じて、スイッチＩＤを登録しておくものである（登録コマンドとして例えば、ｓｅｔ　ｒｏｏｔ　ｓｗｉｔｃｈｉｄ（　））。
【００６１】
また。装置自動設定とは、試験開始コマンドにスイッチＩＤが記載されていなかった場合に、運用管理部１１が自らルートスイッチを決定するものである（起動内部コマンドとして例えば、ｇｅｔ　ｒｏｏｔ　ｓｗｉｔｃｈｉｄ（　））。スイッチＩＤの選択方法としては、スイッチＩＤが最も小さいスイッチを選んだり、または負荷の最も小さいスイッチを選ぶ。
【００６２】
図１１はルートスイッチ決定処理のアルゴリズムを示す図である。
〔Ｓ１〕運用管理部１１は、試験開始コマンドにスイッチＩＤが含まれているか否かを判断する。含まれていればステップＳ２へ、含まれていなければステップＳ３へ行く。
〔Ｓ２〕運用管理部１１は、該当するスイッチへ試験開始コマンドを送信する（オペレータからの入力設定による試験開始コマンドの送信）。
〔Ｓ３〕運用管理部１１は、スイッチＩＤが登録されているか否かを判断する。登録されていればステップＳ４へ、登録されていなければステップＳ５へ行く。
〔Ｓ４〕登録されているスイッチＩＤを試験開始コマンドに記載して、該当するスイッチへ試験開始コマンドを送信する（オペレータによる事前登録設定による試験開始コマンドの送信）。
〔Ｓ５〕運用管理部１１は、装置自動設定により、自らルートスイッチＩＤを決定し、そのスイッチＩＤを試験開始コマンドに記載して、該当するスイッチへ試験開始コマンドを送信する（装置自動設定による試験開始コマンドの送信）。
【００６３】
次にＶＬＡＮを指定して試験を行う場合の実施の形態について説明する。図２〜図１０の上記の説明では、ネットワーク上で構成されているすべてのＶＬＡＮに対してＶＬＡＮ設定情報を収集したが、ここでは、オペレータが特定のＶＬＡＮを指定することにより、指定されたＶＬＡＮ設定情報のみを収集するものである。
【００６４】
まず、ＭＳ１０における試験開始時の動作について説明する。オペレータは、スイッチＩＤ及びＶＬＡＮ−ＩＤを記載した試験開始コマンド（例えば、ｒｕｎ　ｖｌａｎ　ｃｏｎｆｉｇｔｅｓｔ（２１，１０））を、ＭＳ１０のユーザインタフェース部１２を通じて入力する。そして、ＭＳ１０の運用管理部１１は、スイッチ２１へ試験開始コマンド（例えば、ｒｕｎ　ｃｏｎｆｉｇｔｅｓｔ（１０））を送信して、応答待ち状態となる。
【００６５】
次にスイッチ２１における試験開始コマンドを受信した際の動作について説明する。スイッチ２１のルート側試験実行部２１ｂは、試験開始コマンドを受信すると、図３のＶＬＡＮ設定テーブルＴ１から、アクセスポートの情報を取得する。そして、試験結果記憶部２１ａ内に格納されている過去の情報を消去した後に、取得したＶＬＡＮ設定情報を試験結果記憶部２１ａに格納する。
【００６６】
ここでは、試験結果記憶部２１ａ内には、スイッチ２１のＶＬＡＮ設定情報として、＜Ｓｗｉｔｃｈ　ＩＤ、Ｐｏｒｔ　ＩＤ、ＶＬＡＮ−ＩＤ＞の順で、＜２１、２、１０＞が格納される。
【００６７】
一方、ルート側試験実行部２１ｂは、スイッチＩＤ＝２１及びＶＬＡＮ−ＩＤ＝１０を含む試験パケットを生成し、トランキングポート＝３よりスイッチ２２−１へ送信すると共に、タイマをセットする。
【００６８】
次にスイッチ２２−１の動作を説明する。ブランチ側試験実行ブランチ２２ｂ−１は、スイッチ２１より試験パケットを受信すると、図４のＶＬＡＮ設定テーブルＴ２−１から、アクセスポートの情報を取得しようとするが、この例ではアクセスポートがないため、応答パケットは生成しない。
【００６９】
一方、ブランチ側試験実行ブランチ２２ｂ−１は、受信した試験パケットをコピーし、受信ポート（ＩＤ＝１）以外のトランキングポート（ＩＤ＝２、３）からスイッチ２２−２、２２−３へ中継転送する。
【００７０】
次にスイッチ２２−２の動作を説明する。ブランチ側試験実行部２２ｂ−２は、スイッチ２２−１より試験パケットを受信すると、図５のＶＬＡＮ設定テーブルＴ２−２から、アクセスポートの情報を取得する。
【００７１】
この例では、＜Ｓｗｉｔｃｈ　ＩＤ、Ｐｏｒｔ　ＩＤ、ＶＬＡＮ−ＩＤ＞の順で、＜２２−２、４、１０＞が得られる。ブランチ側試験実行部２２ｂ−２は、これらの情報を格納した応答パケットＲ２ａを生成し、試験パケットを生成したスイッチ２１に返送する。
【００７２】
図１２は応答パケットＲ２ａの構成を示す図である。応答パケットＲ２ａは、送信元スイッチＩＤ＝２２−２、（ポートＩＤ＝４、ＶＬＡＮ−ＩＤ＝１０）となる。
【００７３】
なお、スイッチ２２−２では、試験パケットを受信したポート（ＩＤ＝１）以外のトランキングポートは存在しないため、スイッチ２２−２は試験パケットの中継転送は行わない。
【００７４】
次にスイッチ２２−３の動作を説明する。スイッチ２２−３のブランチ側試験実行部２２ｂ−３は、スイッチ２２−１より試験パケットを受信すると、図６のＶＬＡＮ設定テーブルＴ２−３から、アクセスポートの情報を取得する。
【００７５】
この例では、＜Ｓｗｉｔｃｈ　ＩＤ、Ｐｏｒｔ　ＩＤ、ＶＬＡＮ−ＩＤ＞の順で、＜２２−３、２、１０＞が得られる。ブランチ側試験実行部２２ｂ−３は、この情報を格納した応答パケットＲ３ａを生成し、試験パケットを生成したスイッチ２１に返送する。図１３は応答パケットＲ３ａの構成を示す図である。応答パケットＲ３ａは、送信元スイッチＩＤ＝２２−３、（ポートＩＤ＝２、ＶＬＡＮ−ＩＤ＝１０）となる。
【００７６】
なお、スイッチ２２−３では、試験パケットを受信したポート（ＩＤ＝１）以外のトランキングポートは存在しないため、スイッチ２２−３は試験パケットの中継転送は行わない。
【００７７】
次にスイッチ２１における応答パケットを受信した際の動作を説明する。ルート側試験実行部２１ｂは、応答パケットＲ２ａ、Ｒ３ａを受信すると、応答パケットＲ２ａ、Ｒ３ａからＶＬＡＮ設定情報を取り出して、試験結果記憶部２１ａに追加格納する。
【００７８】
ここでは、応答パケットＲ２ａ、Ｒ３ａから、スイッチ２２−２のＶＬＡＮ設定情報＜２２−２、４、１０＞と、スイッチ２２−３のＶＬＡＮ設定情報＜２２−３、２、１０＞を取り出して、試験結果記憶部２１ａに格納する。また、このとき、応答パケットの最初の受信時に、タイマを再設定する。
【００７９】
図１４は試験結果データの格納状態を示す図である。試験結果記憶部２１ａには、＜Ｓｗｉｔｃｈ　ＩＤ、Ｐｏｒｔ　ＩＤ、ＶＬＡＮ−ＩＤ＞の順で、自己（スイッチ２１）のＶＬＡＮ設定情報として＜２１、２、１０＞、スイッチ２２−２のＶＬＡＮ設定情報として＜２２−２、４、１０＞、スイッチ２２−３のＶＬＡＮ設定情報として＜２２−３、２、１０＞が格納される。
【００８０】
ルート側試験実行部２１ｂは、タイマより終了通知を受信すると、試験結果記憶部２１ａ内の図１４に示した格納情報を試験結果データとし、試験開始コマンドの応答としてＭＳ１０へ送信する。ＭＳ１０は、試験結果データを受信すると、ユーザインタフェース部１２を通じて、オペレータに対して画面表示する。
【００８１】
以上説明したように、試験開始コマンドにＶＬＡＮ−ＩＤを設定することで、オペレータが知りたいＶＬＡＮ設定情報のみを収集できるので、管理制御の柔軟性及び利便性の向上を図ることが可能になる。
【００８２】
なお、ＶＬＡＮを指定して試験を行う場合には、指定されたＶＬＡＮに接続しているスイッチがルートスイッチになる。すなわち、試験開始コマンドにスイッチＩＤが設定されず、ＶＬＡＮ−ＩＤのみが設定されていた場合は、運用管理部１１は、設定されているＶＬＡＮに接続しているスイッチを、オペレータによる事前登録設定、装置自動設定のいずれかで選択し、選択したスイッチへ試験開始コマンドを送信することになる。
【００８３】
次に試験開始コマンドを受信した際に即時に応答を返し、試験結果を別途送信する場合の実施の形態について説明する。オペレータは、スイッチＩＤを記載した試験開始コマンド（例えば、ｒｕｎ　ｖｌａｎ　ｃｏｎｆｉｇｔｅｓｔ（２１））を、ＭＳ１０のユーザインタフェース部１２を通じて入力すると、ＭＳ１０の運用管理部１１は、スイッチ２１へ試験開始コマンド（例えば、ｒｕｎ　ｃｏｎｆｉｇｔｅｓｔ（　））を送信する。
【００８４】
このとき、応答を返してくるスイッチを識別するため、試験開始コマンドにセッションＩＤを含ませてもよい（例えば、セッションＩＤを８０８０とするとｒｅｑ　ｃｏｎｆｉｇｔｅｓｔ（８０８０））。
【００８５】
試験開始コマンドを受け付けたスイッチ２１のルート側試験実行部２１ｂは、その試験開始コマンドに対する応答（試験開始コマンドを受け付けたことを示す応答）を即時にＭＳ１０へ返送する。これにより、ＭＳ１０では応答待ち状態でなくなり、別コマンドを受け付けることができる。
【００８６】
その後、上述したような試験が行われる。そして、スイッチ２１のルート側試験実行部２１ｂは、収集した試験結果データをＭＳ１０へ返送する（例えば、ｓｅｔ　ｔｅｓｔｒｅｓｕｌｔ（＜２１、１、２０＞、＜２１、２、１０＞、＜２２−２、３、２０＞、＜２２−２、４、１０＞、＜２２−３、２、１０＞））。
【００８７】
図１５は試験開始コマンドの受信時に即時に応答を返して、試験結果を別途送信する場合の動作を示すフローチャートである。
〔Ｓ１１〕運用管理部１１は、試験開始コマンドをルートスイッチへ送信する。
〔Ｓ１２〕ルート側試験実行部２１ｂは、コマンド受け付けの応答を返送する。
〔Ｓ１３〕各スイッチ間で試験が行われ、ＶＬＡＮ設定情報がルートスイッチで収集される。
〔Ｓ１４〕ルート側試験実行部２１ｂは、受け付けた試験開始コマンドに対応する試験結果であることが、ＭＳ１０側で認識可能な応答（試験結果データ）をＭＳ１０へ返送する。
【００８８】
以上説明したように、ＭＳ１０から試験開始コマンドを送信後、ルートスイッチは即時に応答をＭＳ１０へ返送する。そして、試験終了後に、受け付けた試験開始コマンドに対応する試験結果であることが、ＭＳ１０側で認識可能な応答（試験結果データ）をＭＳ１０へ送信する。これにより、ＭＳ１０では、試験開始コマンドを送信した際に応答待ち状態とならないため、別コマンドを受け付けて、他の作業を行うことが可能になる。
【００８９】
次に試験開始コマンドの送信元と、試験結果データの受信先とが異なる場合の実施の形態について説明する。ここでは送信元のＭＳをＭＳ１０ｓ、受信先のＭＳをＭＳ１０ｒと呼ぶ。
【００９０】
オペレータは、スイッチＩＤを記載した試験開始コマンド（例えば、ｒｕｎ　ｖｌａｎｃｏｎｆｉｇｔｅｓｔ（２１））を、ＭＳ１０ｓのユーザインタフェース部１２を通じて入力する。ＭＳ１０ｓの運用管理部１１は、スイッチ２１へ試験開始コマンドを送信する。ただし、この場合、受信先（試験結果データの返送先）のＭＳ１０ｒの識別子を付与しておく。
【００９１】
例えば、管理用通信ネットワーク３がＩＰネットワークであるならば、ＩＰアドレスやホスト名を付与する（例えば、ＭＳ１０ｒのＩＰアドレスが１０．１０．１０．１５０ならば、試験開始コマンドはｒｅｑ　ｃｏｎｆｉｇｔｅｓｔ（１０．１０．１０．１５０））。なお、応答を返してくるスイッチを識別するため、試験開始コマンドにセッションＩＤを追加してもよい（例えば、セッションＩＤを８０８０とすると、ｒｅｑ　ｃｏｎｆｉｇｔｅｓｔ（１０．１０．１０．１５０，　８０８０））。
【００９２】
その後、上述したような試験が行われる。そして、スイッチ２１のルート側試験実行部２１ｂは、収集した試験結果データをＭＳ１０ｒ側へ返送する（例えば、ｓｅｔ　ｔｅｓｔｒｅｓｕｌｔ（＜２１、１、２０＞、＜２１、２、１０＞、＜２２−２、３、２０＞、＜２２−２、４、１０＞、＜２２−３、２、１０＞））。ＭＳ１０ｒでは、受信結果を表示する。
【００９３】
以上説明したように、試験開始コマンドに試験結果データの返送先を記すことにより、送信元のＭＳ１０ｓからの試験開始コマンドに対し、試験結果データを受信先のＭＳ１０ｒへ送信することが可能になる。このようにして、試験開始コマンドの送信元と、試験結果データの受信先を分けることができるので、管理制御の柔軟性及び利便性の向上を図ることが可能になる。
【００９４】
次に試験の中間結果を知る場合の実施の形態について説明する。スイッチ２１をルートスイッチとして試験の実行中に、オペレータが試験の中間結果を知る場合には、オペレータは、ＭＳ１０のユーザインタフェース部１２を通じて、中間結果取得コマンド（例えば、ｇｅｔ　ｓｔａｔｕｓ（　））を入力する。
【００９５】
そして、運用管理部１１は中間結果取得コマンド（例えば、ｇｅｔ　ｔｅｓｔｄａｔａ（　））をスイッチ２１へ送信する。スイッチ２１のルート側試験実行部２１ｂは、中間結果取得コマンドを受信すると、その時点で試験結果記憶部２１ａに格納されている試験結果データを中間結果データとしてＭＳ１０へ送信する。
【００９６】
ここでは、スイッチ２２−２からの応答パケットは受信したが、スイッチ２２−３からは未受信であり、試験結果記憶部２１ａには、スイッチ２１、２２−２のＶＬＡＮ設定情報が格納されているものとする。
【００９７】
すると、スイッチ２１のルート側試験実行部２１ｂは、収集した試験結果データ（＜２１、１、２０＞、＜２１、２、１０＞、＜２２−２、３、２０＞、＜２２−２、４、１０＞）をＭＳ１０へ返送する。このように、試験の中間結果の通知を可能とすることにより、管理制御の柔軟性及び利便性の向上を図ることが可能になる。
【００９８】
次に試験を中断する場合の実施の形態について説明する。スイッチ２１をルートスイッチとして試験の実行中に、オペレータが試験の中断を行う場合には、オペレータは、ＭＳ１０のユーザインタフェース部１２を通じて、試験中断コマンド（例えば、ｃａｎｃｅｌ　ｖｌａｎ　ｃｏｎｆｉｇｔｅｓｔ（　））を入力する。
【００９９】
そして、運用管理部１１は試験中断コマンド（例えば、ｃａｎｃｅｌ　ｖｌａｎ　ｃｏｎｆｉｇｔｅｓｔ（　））をスイッチ２１へ送信する。スイッチ２１のルート側試験実行部２１ｂは、試験中断コマンドを受信すると、試験結果記憶部２１ａに格納されている試験結果データを廃棄する。
【０１００】
または、オペレータにより試験中断コマンドが入力された場合、スイッチ２１側で試験結果データを廃棄するのではなく、ＭＳ１０が一旦試験結果データを受信して、運用管理部１１側で廃棄するようにしてもよい。
【０１０１】
次にＭＳ１０があらかじめ保持していたＶＬＡＮ設定情報と試験結果データとの差分を比較することで動作状態を認識する場合の実施の形態について説明する。ＭＳ１０の運用管理部１１は、試験結果データを受信すると、あらかじめ保持していたＶＬＡＮ設定情報と差分があるか否かを判断する。そして、判断結果（差分情報）をオペレータに表示する。これにより、オペレータは試験開始コマンドを一度送信するだけで、ＭＳ１０の画面表示により、現状の運用状態を容易に知ることができる（例えば、差分データが表示されれば、オペレータは障害発生箇所を即座に認識できる）。
【０１０２】
以上説明したように、本発明によれば、ＭＳ１０が各スイッチにおけるＶＬＡＮ設定の確認を行う場合、従来と比べ、ＭＳ１０からスイッチへのアクセスは１回で済むため、管理効率及び利便性の向上を図ることが可能になる。また、試験パケットがネットワーク上で転送されるため、ＶＬＡＮ設定情報の収集と兼ねて、回線の導通状態も収集・管理することが可能になる。
【０１０３】
なお、上記の説明では、試験としてＶＬＡＮ設定情報の収集を行ったが、ＶＬＡＮ以外の運用状態の情報を収集する際にも、本発明の機能を適用することが可能である。
【０１０４】
（付記１）　ネットワークの通信管理を行う通信管理システムにおいて、
ルート側とする１台のノードのみに試験開始コマンドを送信し、前記ノードからの試験結果データを受信して、ＶＬＡＮの構成状態を管理する運用管理部を有するネットワーク管理装置と、
自己のＶＬＡＮ設定情報が登録されたＶＬＡＮ設定テーブルと、試験結果としてのＶＬＡＮ設定情報を記憶する試験結果記憶部と、前記試験開始コマンドを受け付けた場合には、前記ＶＬＡＮ設定テーブルにもとづき、自己のＶＬＡＮ設定情報を前記試験結果記憶部へ格納し、自己のＩＤを含む試験パケットを生成して隣接ノードへ送信し、隣接ノードから応答パケットを受信した場合には、前記応答パケットからＶＬＡＮ設定情報を取り出して前記試験結果記憶部へ格納し、格納されているＶＬＡＮ設定情報を前記試験結果データとして、前記ネットワーク管理装置へ通知するルート側試験実行部と、から構成されるルートノードと、
前記ＶＬＡＮ設定テーブルと、前記試験パケットを受信した場合には、前記ＶＬＡＮ設定テーブルにもとづき、自己のＶＬＡＮ設定情報を応答パケットに格納して前記ルートノードへ返送し、隣接ノードへ前記試験パケットを中継転送するブランチ側試験実行部と、から構成されるブランチノードと、
を有することを特徴とする通信管理システム。
【０１０５】
（付記２）　前記ＶＬＡＮ設定テーブルは、ポートＩＤと、ＶＬＡＮ−ＩＤと、アクセスポートまたはトランキングポートの種別を表すタイプと、から構成され、前記ルート側試験実行部及び前記ブランチ側試験実行部は、前記アクセスポートの情報を自己のＶＬＡＮ設定情報として取得し、前記トランキングポートに対応するポートから隣接ノードへ試験パケットまたは応答パケットを送信することを特徴とする付記１記載の通信管理システム。
【０１０６】
（付記３）　前記ルート側試験実行部は、試験パケットの送信時及び最初の応答パケットの受信時に、タイマをセットして、応答パケットの待ち時間を設定することを特徴とする付記１記載の通信管理システム。
【０１０７】
（付記４）　前記運用管理部は、試験開始コマンドを送信する際に、オペレータからの入力設定、オペレータによる事前の登録設定、装置自動設定のいずれかにもとづいて、送信先のルートノードを決定することを特徴とする付記１記載の通信管理システム。
【０１０８】
（付記５）　前記運用管理部は、試験開始コマンドに対して、試験対象とすべきＶＬＡＮ−ＩＤを含ませて、前記ルートノードへ送信し、前記ルートノードは、自己のＩＤ及びＶＬＡＮ−ＩＤを含む試験パケットを生成し、前記ルートノード及び前記ブランチノードは、前記ＶＬＡＮ−ＩＤに関連するＶＬＡＮ設定情報を取得することを特徴とする付記１記載の通信管理システム。
【０１０９】
（付記６）　試験開始コマンドがＶＬＡＮ−ＩＤを含む場合は、前記運用管理部は、前記ＶＬＡＮ−ＩＤに接続するノードに対して、試験開始コマンドを送信することを特徴とする付記５記載の通信管理システム。
【０１１０】
（付記７）　前記ルート側試験実行部は、試験開始コマンドを受け付けると即時に前記運用管理部へ応答を返すことで、前記運用管理部での応答待ち状態をなくし、試験終了後に、受け付けた試験開始コマンドに対応する試験結果であることが認識可能な応答を送信することを特徴とする付記１記載の通信管理システム。
【０１１１】
（付記８）　前記ネットワーク管理装置として、試験開始コマンドを送信する装置と、試験結果データを受信する装置とが別の場合は、前記運用管理部は、試験開始コマンドに受信側装置の識別子を付与し、前記ルートノードは試験結果データを前記受信側装置へ送信することを特徴とする付記１記載の通信管理システム。
【０１１２】
（付記９）　前記運用管理部は、試験の中間結果を取得する場合は、中間結果取得コマンドを前記ルート側試験実行部へ送信し、前記ルート側試験実行部は、前記中間結果取得コマンドを受信すると、前記試験結果記憶部へ格納されている試験途中のＶＬＡＮ設定情報を、中間結果データとして、前記運用管理部へ送信することを特徴とする付記１記載の通信管理システム。
【０１１３】
（付記１０）　前記運用管理部は、試験を中断する場合は、試験中断コマンドを前記ルート側試験実行部へ送信し、試験結果データの廃棄は、前記ネットワーク管理装置側または前記ルートノード側のいずれかで行われることを特徴とする付記１記載の通信管理システム。
【０１１４】
（付記１１）　前記運用管理部は、あらかじめ保持していたＶＬＡＮ設定情報と試験結果データであるＶＬＡＮ設定情報との差分を比較し、差分情報を表示することを特徴とする付記１記載の通信管理システム。
【０１１５】
（付記１２）　ネットワークの管理制御を行うネットワーク管理装置において、
ルート側とする１台のノードのみに試験開始コマンドを送信し、前記ノードからの試験結果データを受信して、ＶＬＡＮの構成状態を管理する運用管理部と、
オペレータに対するユーザインタフェース処理を行うユーザインタフェース部と、
を有するネットワーク管理装置。
【０１１６】
（付記１３）　ネットワーク上で通信を行う通信装置において、
自己のＶＬＡＮ設定情報が登録されたＶＬＡＮ設定テーブルと、
試験結果としてのＶＬＡＮ設定情報を記憶する試験結果記憶部と、
試験開始コマンドを受け付けた場合には、前記ＶＬＡＮ設定テーブルにもとづき、自己のＶＬＡＮ設定情報を前記試験結果記憶部へ格納し、自己のＩＤを含む試験パケットを生成して隣接ノードへ送信し、隣接ノードから応答パケットを受信した場合には、前記応答パケットからＶＬＡＮ設定情報を取り出して前記試験結果記憶部へ格納し、格納されているＶＬＡＮ設定情報を前記試験結果データとして、前記ネットワーク管理装置へ通知するルート側試験実行部と、前記試験パケットを受信した場合には、前記ＶＬＡＮ設定テーブルにもとづき、自己のＶＬＡＮ設定情報を応答パケットに格納して前記ルートノードへ返送し、隣接ノードへ前記試験パケットを中継転送するブランチ側試験実行部と、から構成される試験実行部と、
を有することを特徴とする通信装置。
【０１１７】
（付記１４）　ＶＬＡＮ構成の状態を管理するＶＬＡＮ構成管理方法において、
ネットワーク管理装置は、ルート側とする１台のノードのみに試験開始コマンドを送信し、
ルートノードが前記試験開始コマンドを受け付けた場合には、自己のＶＬＡＮ設定情報が登録されたＶＬＡＮ設定テーブルにもとづき、自己のＶＬＡＮ設定情報を、試験結果としてのＶＬＡＮ設定情報を記憶する試験結果記憶部へ格納し、かつ自己のＩＤを含む試験パケットを生成して隣接ノードへ送信し、
ブランチノードが前記試験パケットを受信した場合には、前記ＶＬＡＮ設定テーブルにもとづき、自己のＶＬＡＮ設定情報を応答パケットに格納して前記ルートノードへ返送し、かつ隣接ノードへ前記試験パケットを中継転送し、
前記ルートノードが隣接ノードから応答パケットを受信した場合には、前記応答パケットからＶＬＡＮ設定情報を取り出して前記試験結果記憶部へ格納し、格納されているＶＬＡＮ設定情報を試験結果データとして、前記ネットワーク管理装置へ通知し、
前記ネットワーク管理装置は、前記ルートノードからの前記試験結果データを受信して、ＶＬＡＮの構成状態を収集・管理することを特徴とするＶＬＡＮ構成管理方法。
【０１１８】
【発明の効果】
以上説明したように、本発明の通信管理システムは、ネットワーク管理装置が１台のノードに試験開始コマンドを送信した後に、ルートノードが試験パケットを生成してブランチノードへ送信し、ＶＬＡＮ設定情報が格納された応答パケットを受信して、ルートノードが試験結果データをネットワーク管理装置へ送信する構成とした。これにより、ノード間で試験パケットが転送されて、その試験結果がネットワーク管理装置へ通知されるので、ＶＬＡＮの設定情報を効率よく収集でき、管理効率及び利便性の向上を図ることが可能になる。
【図面の簡単な説明】
【図１】本発明の通信管理システムの原理図である。
【図２】ネットワーク構成を示す図である。
【図３】ＶＬＡＮ設定テーブルを示す図である。
【図４】ＶＬＡＮ設定テーブルを示す図である。
【図５】ＶＬＡＮ設定テーブルを示す図である。
【図６】ＶＬＡＮ設定テーブルを示す図である。
【図７】ネットワークアドレス情報テーブルを示す図である。
【図８】応答パケットの構成を示す図である。
【図９】応答パケットの構成を示す図である。
【図１０】試験結果データの格納状態を示す図である。
【図１１】ルートスイッチ決定処理のアルゴリズムを示す図である。
【図１２】応答パケットの構成を示す図である。
【図１３】応答パケットの構成を示す図である。
【図１４】試験結果データの格納状態を示す図である。
【図１５】試験開始コマンドの受信時に即時に応答を返して、試験結果を別途送信する場合の動作を示すフローチャートである。
【図１６】ＶＬＡＮシステムの構成を示す図である。
【符号の説明】
１　通信管理システム
３　管理用通信ネットワーク
１０　ネットワーク管理装置
１１　運用管理部
１２　ユーザインタフェース部
２１　ルートノード
２１ａ　試験結果記憶部
２１ｂ　ルート側試験実行部
２２、２２−１、２２−２　ブランチノード
２２ｂ　ブランチ側試験実行部
４１〜４４　端末
Ｔ１、Ｔ２　ＶＬＡＮ設定テーブル
【図１】
2004023120.tif 000003
【図２】
2004023120.tif 000004
【図３】
2004023120.tif 000005
【図４】
2004023120.tif 000006
【図５】
2004023120.tif 000007
【図６】
2004023120.tif 000008
【図７】
2004023120.tif 000009
【図８】
2004023120.tif 000010
【図９】
2004023120.tif 000011
【図１０】
2004023120.tif 000012
【図１１】
2004023120.tif 000013
【図１２】
2004023120.tif 000014
【図１３】
2004023120.tif 000015
【図１４】
2004023120.tif 000016
【図１５】
2004023120.tif 000017
【図１６】
2004023120.tif 000018